(57)【要約】【課題】ユーザに文章の取捨選択を促すことができ、入力した文について考えを進めるよう促すことができる文章検索装置、文章検索方法及び文章検索プログラムを提供する。【解決手段】文章検索装置１０は、第１文の入力を受け付ける第１受付部１１と、第１文に基づく検索キーによって、文章データベース２０の検索を行う検索部１５と、検索部１５により検索された１又は複数の文章から、文章データベース２０を検索するための検索キーの候補となる第２文の選択を受け付ける第２受付部１２と、第１文、検索部１５により検索された１又は複数の文章の少なくとも一部である検索結果及び第２文を、第１文及び第２文の表示面積と検索結果の表示面積との合計が予め定められた面積以下となるように、表示領域に表示させる表示制御部１６と、を備える。【選択図】図２
2018097530.tif 000002
【特許請求の範囲】
【請求項１】
第１文の入力を受け付ける第１受付部と、
前記第１文に基づく検索キーによって、文章データベースの検索を行う検索部と、
前記検索部により検索された１又は複数の文章から、前記文章データベースを検索するための検索キーの候補となる第２文の選択を受け付ける第２受付部と、
前記第１文、前記検索部により検索された１又は複数の文章の少なくとも一部である検索結果及び前記第２文を、前記第１文及び前記第２文の表示面積と前記検索結果の表示面積との合計が予め定められた面積以下となるように、表示領域に表示させる表示制御部と、
を備える文章検索装置。
【請求項２】
前記表示制御部は、前記検索結果に画像が関連付けられている場合に、前記検索結果の背景に前記画像を表示させる、
請求項１に記載の文章検索装置。
【請求項３】
前記文章データベースは、ユーザが選択した文章を格納する第１データベースと、前記ユーザ以外の者が選択した文章を格納する第２データベースとを含み、
前記検索部は、前記第１文又は前記第２文に基づく検索キーによって、前記第１データベース及び前記第２データベースを検索し、
前記表示制御部は、前記第１文、前記検索部により前記第１データベースから検索された１又は複数の文章の少なくとも一部である第１検索結果、前記検索部により前記第２データベースから検索された１又は複数の文章の少なくとも一部である第２検索結果及び前記第２文を、前記第１文及び前記第２文の表示面積と前記第１検索結果及び前記第２検索結果の表示面積との合計が予め定められた面積以下となるように、表示領域に表示させる、
請求項１又は２に記載の文章検索装置。
【請求項４】
前記表示制御部は、前記第２検索結果を前記第１検索結果より多く表示させる、
請求項３に記載の文章検索装置。
【請求項５】
前記検索結果のうち削除選択された検索結果及び前記削除選択された検索結果に類似する検索結果を削除する削除部をさらに備え、
前記表示制御部は、前記削除選択された検索結果に替えて、他の検索結果を表示させる、
請求項１から４のいずれか１項に記載の文章検索装置。
【請求項６】
前記検索部は、前記第１文に基づく検索キーによる検索と、前記第２文に基づく検索キーによる検索とを組み合わせて前記文章データベースの再検索を行い、
前記表示制御部は、前記検索部により検索された検索結果に替えて、前記検索部により再検索された検索結果を表示させる、
請求項１から５のいずれか１項に記載の文章検索装置。
【請求項７】
前記表示制御部により表示された前記検索結果のうち固定選択された検索結果を固定する固定部をさらに備え、
前記表示制御部は、前記検索部により検索された検索結果に替えて、前記検索部により再検索された検索結果を表示させる場合に、前記固定選択された検索結果の表示を維持する、
請求項６に記載の文章検索装置。
【請求項８】
第１文の入力を受け付ける第１ステップと、
前記第１文に基づく検索キーによって、文章データベースの検索を行う第２ステップと、
前記第２ステップにおいて検索された１又は複数の文章から、前記文章データベースを検索するための検索キーの候補となる第２文の選択を受け付ける第３ステップと、
前記第１文、前記第２ステップにおいて検索された１又は複数の文章の少なくとも一部である検索結果及び前記第２文を、前記第１文及び前記第２文の表示面積と前記検索結果の表示面積との合計が予め定められた面積以下となるように、表示領域に表示させる第４ステップと、
を含む文章検索方法。
【請求項９】
コンピュータを、
第１文の入力を受け付ける第１受付部と、
前記第１文に基づく検索キーによって、文章データベースの検索を行う検索部と、
前記検索部により検索された１又は複数の文章から、前記文章データベースを検索するための検索キーの候補となる第２文の選択を受け付ける第２受付部と、
前記第１文、前記検索部により検索された１又は複数の文章の少なくとも一部である検索結果及び前記第２文を、前記第１文及び前記第２文の表示面積と前記検索結果の表示面積との合計が予め定められた面積以下となるように、表示領域に表示する表示制御部と、
として機能させる文章検索プログラム。
【発明の詳細な説明】
【技術分野】
【０００１】
本発明は、文章検索装置、文章検索方法及び文章検索プログラムに関する。
【背景技術】
【０００２】
従来、インターネット等に接続された文章データベースに格納された文章を、検索キーに基づいて検索する技術が知られている。検索は、例えば、検索キーである単語が検索対象である文章に含まれるか否かを判定することによって行われる場合がある。
【０００３】
非特許文献１には、データベースに格納された第１の文章から第１の単語を選択させ、選択された第１の単語を含む第２の文章をデータベースから検索し、検索された第２の文章から第２の単語を選択させ、第１の単語及び第２の単語を含む短文を生成するソフトウェアが記載されている。
【先行技術文献】
【非特許文献】
【０００４】
【非特許文献１】大坪五郎、「Ｇｏｒｏｔｔｅ：情報の消費者ではなく生産者になるための試み」、２０１１年第１９回インタラクティブシステムとソフトウェアに関するワークショップ、インターネット（ＵＲＬ：https://www.wiss.org/WISS2011Proceedings/PDF/13.pdf）
【発明の概要】
【発明が解決しようとする課題】
【０００５】
従来の文章検索は、検索された文章の概要を一覧表示し、ユーザによる選択を受けて文章全文を表示する。ユーザは、一度の検索で検索を終了したり、検索された文章に触発されて構成した他の検索キーによって再度検索を行ったりする。このような従来の文章検索によって、ユーザは、文章データベースから所望の情報を得ることができる。
【０００６】
しかしながら、従来の文章検索では、入力した検索キーが表示される表示領域と、検索結果が表示される表示領域とがそれぞれ独立して設けられるのが一般的であった。このような従来の文章検索では、検索キーを追加しても検索キーが表示される表示領域の大きさは変わらず、検索結果の多寡に関わらず検索結果が表示される表示領域の大きさも変わらない場合が多い。そのため、ユーザは、検索キーの量について何ら制限を受けることなく多量の文章を閲覧することができ、文章の取捨選択を意識しないために、かえって文章について考えを進めないおそれがある。
【０００７】
本発明は、ユーザに文章の取捨選択を促すことができ、入力した文について考えを進めるよう促すことができる文章検索装置、文章検索方法及び文章検索プログラムを提供することを目的とする。
【課題を解決するための手段】
【０００８】
本発明の一態様に係る文章検索装置は、第１文の入力を受け付ける第１受付部と、第１文に基づく検索キーによって、文章データベースの検索を行う検索部と、検索部により検索された１又は複数の文章から、文章データベースを検索するための検索キーの候補となる第２文の選択を受け付ける第２受付部と、第１文、検索部により検索された１又は複数の文章の少なくとも一部である検索結果及び第２文を、第１文及び第２文の表示面積と検索結果の表示面積との合計が予め定められた面積以下となるように、表示領域に表示させる表示制御部と、を備える。
【０００９】
この態様によれば、第１文及び第２文の表示面積と検索結果の表示面積との合計が予め定められた面積以下となるように、表示領域に表示させることで、検索キーの表示と検索結果の表示についてトレードオフの関係が生じる。そのため、ユーザに対して、いずれの検索キー、検索結果を表示領域に表示させるべきか考えさせることになり、検索キーの表示と検索結果の表示について取捨選択を促して、入力した文について考えを進めるよう促すことができる。
【００１０】
上記態様において、表示制御部は、検索結果に画像が関連付けられている場合に、検索結果の背景に画像を表示させてもよい。
【００１１】
この態様によれば、検索結果を視覚的に把握させることができ、文字情報のみを表示する場合に比較してより強くユーザの注意を引くことができる。
【００１２】
上記態様において、文章データベースは、ユーザが選択した文章を格納する第１データベースと、ユーザ以外の者が選択した文章を格納する第２データベースとを含み、検索部は、第１文又は第２文に基づく検索キーによって、第１データベース及び第２データベースを検索し、表示制御部は、第１文、検索部により第１データベースから検索された１又は複数の文章の少なくとも一部である第１検索結果、検索部により第２データベースから検索された１又は複数の文章の少なくとも一部である第２検索結果及び第２文を、第１文及び第２文の表示面積と第１検索結果及び第２検索結果の表示面積との合計が予め定められた面積以下となるように、表示領域に表示させてもよい。
【００１３】
この態様によれば、ユーザにとって有用な情報が多いが文章数が少ない場合がある第１データベースを検索した第１検索結果と、ユーザにとって必ずしも有用でない情報を含むが文章数が多い場合がある第２データベースを検索した第２検索結果と、検索キーと、を所定の面積以下の表示領域に表示させることで、検索キーの表示と検索結果の表示についてトレードオフの関係が生じる。そのため、ユーザに対して、検索キーの表示と各データベースに関する検索結果の表示についてそれぞれ取捨選択を促して、入力した文について考えを進めるよう促すことができる。
【００１４】
上記態様において、表示制御部は、第２検索結果を第１検索結果より多く表示させてもよい。
【００１５】
この態様によれば、ユーザにとって必ずしも有用でない情報を含む場合がある第２検索結果を、ユーザにとって有用な情報が多い第１検索結果より多く表示させることで、より多くの第２検索結果を確認することができるようになり、ユーザが第２データベースから有用な情報を抽出する確率を上げることができる。
【００１６】
上記態様において、検索結果のうち削除選択された検索結果及び削除選択された検索結果に類似する検索結果を削除する削除部をさらに備え、表示制御部は、削除選択された検索結果に替えて、他の検索結果を表示させてもよい。
【００１７】
この態様によれば、有用でない検索結果を一度の削除選択でまとめて削除することができ、効率的な削除ができる。
【００１８】
上記態様において、検索部は、第１文に基づく検索キーによる検索と、第２文に基づく検索キーによる検索とを組み合わせて文章データベースの再検索を行い、表示制御部は、検索部により検索された検索結果に替えて、検索部により再検索された検索結果を表示させてもよい。
【００１９】
この態様によれば、第１文に基づく検索と、第２文に基づく検索とを組み合わせて再検索を行った再検索結果を当初の検索結果に替えて表示することで、検索キーの表示と再検索結果の表示について取捨選択を促して、第１文について異なる観点から考えを進めるよう促すことができる。
【００２０】
上記態様において、表示制御部により表示された検索結果のうち固定選択された検索結果を固定する固定部をさらに備え、表示制御部は、検索部により検索された検索結果に替えて、検索部により再検索された検索結果を表示させる場合に、固定選択された検索結果の表示を維持してもよい。
【００２１】
この態様によれば、第１文について異なる観点から考えを進める際に固定選択した検索結果を閲覧することができるようになり、注目したい検索結果と再検索結果を併せて考察することが容易となる。
【００２２】
本発明の一態様に係る文章検索方法は、第１文の入力を受け付ける第１ステップと、第１文に基づく検索キーによって、文章データベースの検索を行う第２ステップと、第２ステップにおいて検索された１又は複数の文章から、文章データベースを検索するための検索キーの候補となる第２文の選択を受け付ける第３ステップと、第１文、第２ステップにおいて検索された１又は複数の文章の少なくとも一部である検索結果及び第２文を、第１文及び第２文の表示面積と検索結果の表示面積との合計が予め定められた面積以下となるように、表示領域に表示させる第４ステップと、を含む。
【００２３】
この態様によれば、第１文及び第２文の表示面積と検索結果の表示面積との合計が予め定められた面積以下となるように、表示領域に表示させることで、検索キーの表示と検索結果の表示についてトレードオフの関係が生じる。そのため、ユーザに対して、いずれの検索キー、検索結果を表示領域に表示させるべきか考えさせることになり、検索キーの表示と検索結果の表示について取捨選択を促して、入力した文について考えを進めるよう促すことができる。
【００２４】
本発明の一態様に係るプログラムは、コンピュータを、第１文の入力を受け付ける第１受付部と、第１文に基づく検索キーによって、文章データベースの検索を行う検索部と、検索部により検索された１又は複数の文章から、文章データベースを検索するための検索キーの候補となる第２文の選択を受け付ける第２受付部と、第１文、検索部により検索された１又は複数の文章の少なくとも一部である検索結果及び第２文を、第１文及び第２文の表示面積と検索結果の表示面積との合計が予め定められた面積以下となるように、表示領域に表示する表示制御部と、として機能させる。
【００２５】
この態様によれば、第１文及び第２文の表示面積と検索結果の表示面積との合計が予め定められた面積以下となるように、表示領域に表示させることで、検索キーの表示と検索結果の表示についてトレードオフの関係が生じる。そのため、ユーザに対して、いずれの検索キー、検索結果を表示領域に表示させるべきか考えさせることになり、検索キーの表示と検索結果の表示について取捨選択を促して、入力した文について考えを進めるよう促すことができる。
【発明の効果】
【００２６】
本発明によれば、ユーザに文章の取捨選択を促すことができ、入力した文について考えを進めるよう促すことができる文章検索装置、文章検索方法及び文章検索プログラムが提供される。
【図面の簡単な説明】
【００２７】
【図１】本発明の実施形態に係る文章検索装置と、文章データベースと、ユーザ端末装置との接続を示すネットワーク構成図である。
【図２】本発明の実施形態に係る文章検索装置の機能ブロック図である。
【図３】本発明の実施形態に係る文章検索装置により実行される検索処理のフローチャートである。
【図４】本発明の実施形態に係る文章検索装置による検索処理の結果の一例を示す図である。
【図５】本発明の実施形態に係る文章検索装置により実行される再検索処理の第１例のフローチャートである。
【図６】本発明の実施形態に係る文章検索装置による再検索処理の結果の第１例を示す図である。
【図７】本発明の実施形態に係る文章検索装置により実行される削除処理のフローチャートである。
【図８】本発明の実施形態に係る文章検索装置による削除処理の結果の一例を示す図である。
【図９】本発明の実施形態に係る文章検索装置により実行される再検索処理の第２例のフローチャートである。
【図１０】本発明の実施形態に係る文章検索装置による再検索処理の結果の第２例を示す図である。
【図１１】本発明の実施形態に係る文章検索装置により実行される固定検索処理のフローチャートである。
【図１２】本発明の実施形態に係る文章検索装置による固定検索処理の結果の一例を示す図である。
【図１３】本発明の実施形態に係る文章検索装置により実行される順位付与検索処理のフローチャートである。
【図１４】本発明の実施形態に係る文章検索装置による順位付与検索処理の結果の一例を示す図である。
【発明を実施するための形態】
【００２８】
添付図面を参照して、本発明の実施形態について説明する。なお、各図において、同一の符号を付したものは、同一又は同様の構成を有する。
【００２９】
図１は、本発明の実施形態に係る文章検索装置１０と、文章データベース２０と、ユーザ端末装置３０との接続を示すネットワーク構成図である。文章検索装置１０と、文章データベース２０と、ユーザ端末装置３０とは、通信ネットワークＮによって互いに接続されている。本実施形態において、通信ネットワークＮはインターネットであるが、ＬＡＮやその他の通信回線網であってもよい。
【００３０】
文章検索装置１０は、少なくとも演算回路、記憶部及び通信部を備え、検索処理、再検索処理、削除処理、固定処理及び順位付与検索処理等を実行する。文章検索装置１０は、ユーザ端末装置３０から第１文の入力を受け付けて、第１文に基づく検索キーによって文章データベース２０を検索し、検索結果をユーザ端末装置３０に出力する。文章検索装置１０によって実行される処理については、他の図面を用いて詳細に説明する。
【００３１】
文章データベース２０は、少なくとも記憶部及び通信部を備え、文章情報を格納する。文章データベース２０は、ユーザが選択した文章を格納する第１データベース２１と、ユーザ以外の者が選択した文章を格納する第２データベース２２とを含む。第１データベース２１は、ユーザが個人的に作成又は収集した文章（アイディアノート）を格納するデータベースであってよく、ユーザのみが閲覧可能な非公開データベースであってよい。第１データベース２１は、所定の情報収集目的をもって情報が蓄積される特徴を持つ。このため、１単語から成る検索キー（重要語）による特定観点での検索に適している。第２データベース２２は、ユーザ以外の不特定多数の者が作成又は収集した文章を格納するデータベースであってよく、何人にも閲覧可能な公開データベースであってよい。第２データベース２２は、インターネット上に公開されている文章を格納するデータベースであってよく、必ずしも管理されたものでなくてもよい。本明細書において、第２データベース２２の検索は、通常のＷｅｂ検索を含むものとする。第２データベース２２は、所定の情報収集目的を持たずにあらゆる情報が蓄積される特徴を持つ。このため、単語に言葉が付加された検索キー（文節）による多面観点での検索に適している。
【００３２】
ユーザ端末装置３０は、少なくとも演算回路、記憶部、通信部、入力部及び表示部を備え、ユーザによって操作される。ユーザ端末装置３０は、パーソナルコンピュータやスマートフォン等であってよい。ユーザは、ユーザ端末装置３０の入力部（例えばキーボードやマウス）を操作して第１文を入力したり第２文又は第３文を選択したりして、表示部（例えば液晶ディスプレイデバイス）に表示される検索結果を確認する。
【００３３】
図２は、本発明の実施形態に係る文章検索装置１０の機能ブロック図である。文章検索装置１０は、第１受付部１１、第２受付部１２、分割部１４、検索部１５、表示制御部１６、順位付与部１７、削除部１８及び固定部１９を備える。
【００３４】
第１受付部１１は、検索のキーとして使用する第１文の入力を受け付ける。第１受付部１１は、ユーザ端末装置３０の入力部によって入力された第１文を受け付ける。第１文は、ユーザが考察対象とする命題であってよい。第２受付部１２は、検索部１５により検索された１又は複数の文章から、１又は複数の選択文の選択を受け付ける。本明細書では、選択文を、ユーザにより選択された順序に応じて第２文、第３文等と称する。選択文（第２文や第３文）は、文章データベース２０を検索するための検索キーの候補となる文である。選択文は、文であり、形の上で完結した、一つの事態を表す言語表現の一単位であることが望ましい。
【００３５】
以下では、選択文として、第２文ＤＰ２及び第３文ＤＰ３を受け付ける場合を例示する。もっとも、第２受付部１２は、検索部１５により検索された文章から第４文や第５文の選択を受け付けることができ、原理的には第Ｎ文（Ｎは任意の自然数）を受け付けることができる。しかしながら、受け付ける文が増えると、以下に説明するように、表示領域に表示される文（検索キーの候補）が多くなり、検索結果を表示するための面積が狭まるため、受け付けられる文の数には実質的に限界がある。
【００３６】
本実施形態において、第１文、第２文及び第３文は、日本語で記載された文であるが、外国語で記載された文であってもよいし、異なる言語による記載が混在した文であってもよい。
【００３７】
分割部１４は、第１文や選択文、すなわち第２文及び第３文を、複数の文節に分割する。ここで、文節は、文を読む際、自然な発音によって区切られる最小の単位とすることができる。ただし、分割部１４は、第１文、第２文及び第３文を必ずしも最小の単位まで分割しなくてもよく、分割数に制限を加えることができる。分割部１４は、重要語抽出部１４ａを含む。重要語抽出部１４ａは、第１文、第２文及び第３文に含まれる１又は複数の重要語を抽出する。どのような単語が重要語となるかについては、後に詳しく説明する。分割部１４は、第１文に含まれる重要語の位置に基づいて、第１文を複数の文節に分割する。分割部１４は、第２文及び第３文についても、第１文と同様に、重要語の位置に基づいて、複数の文節に分割する。
【００３８】
検索部１５は、少なくとも第１文に基づく検索キー、例えば重要語を用いて、文章データベース２０の検索を行う。また、検索部１５は、第１文に基づく検索キーによる検索と、選択文に基づく検索キー、例えば文節による検索とを組み合わせて文章データベース２０の再検索を行う。具体的には、検索部１５は、第１文に基づく検索キーによる検索と、第２文に基づく検索キーによる検索又は第３文に基づく検索キーによる検索とを組み合わせて文章データベース２０の再検索を行う。検索部１５は、第１データベース検索部１５ａと、第２データベース検索部１５ｂとを含む。第１データベース検索部１５ａは、第１データベース２１の検索を行う。第２データベース検索部１５ｂは、第２データベース２２の検索を行う。
【００３９】
検索部１５は、第１文、第２文及び第３文のいずれかについて、文に含まれる重要語及び文節を検索キーとして、文章データベース２０の検索を行う。第１データベース検索部１５ａは、第１データベース２１を重要語によって検索する。また、第２データベース検索部１５ｂは、第２データベース２２を複数の文節のうちいずれかによって検索する。より具体的には、第２データベース検索部１５ｂは、第２データベース２２を複数の文節のうちいずれかとの完全一致によって検索する。なお、検索キーとして重要語を用いるか、文節を用いるかの判断は、文によって判断するのではなく、第１データベース２１のように所定の情報収集目的をもって情報が蓄積される特徴をもつデータベースの検索には重要語を用い、第２データベース２２のように所定の情報収集目的を持たずにあらゆる情報が蓄積される特徴をもつデータベースの検索には文節を用いる、という設定が望ましい。
【００４０】
表示制御部１６は、第１文、検索部１５により検索された１又は複数の文章の少なくとも一部である検索結果及び第２文を、第１文及び第２文の表示面積と検索結果の表示面積との合計が予め定められた面積以下となるように、表示領域に表示させる。表示制御部１６は、表示画像に関する情報をユーザ端末装置３０に送信する。第１文、検索結果及び第２文は、ユーザ端末装置３０の表示部に表示される。表示制御部１６は、第１文、第１データベース検索部１５ａにより第１データベース２１から検索された１又は複数の文章の少なくとも一部である第１検索結果、第２データベース検索部１５ｂにより第２データベース２２から検索された１又は複数の文章の少なくとも一部である第２検索結果及び第２文を、第１文及び第２文の表示面積と第１検索結果及び第２検索結果の表示面積との合計が予め定められた面積以下となるように、表示領域に表示させる。また、表示制御部１６は、第１文、第２文、第３文及び検索部１５により検索された１又は複数の文章の少なくとも一部である検索結果を、第１文、第２文及び第３文の表示面積と検索結果の表示面積との合計が予め定められた面積以下となるように、表示領域に表示させる。
【００４１】
順位付与部１７は、第２文及び第３文に優先順位を付与する。検索部１５は、第１文に基づく検索キーによる検索と、優先順位に従って選択された第２文に基づく検索キーによる検索又は第３文に基づく検索キーによる検索とを組み合わせて文章データベース２０の検索を行う。
【００４２】
削除部１８は、検索結果のうち削除選択された検索結果及び削除選択された検索結果に類似する検索結果を削除する。検索結果の類否判断については、後に詳しく説明する。削除部１８による削除を受けて、表示制御部１６は、削除選択された検索結果に替えて、他の検索結果を表示させる。
【００４３】
固定部１９は、表示制御部１６により表示された検索結果のうち固定選択された検索結果を固定する。表示制御部１６は、通常、検索部１５により検索された検索結果に替えて、検索部１５により再検索された検索結果を表示させる。しかし、固定部１９により検索結果が固定された場合、表示制御部１６は、検索部１５により検索された検索結果に替えて、検索部１５により再検索された検索結果を表示させる場合に、固定選択された検索結果の表示を維持する。
【００４４】
図３は、本発明の実施形態に係る文章検索装置１０により実行される検索処理のフローチャートである。文章検索装置１０は、第１受付部１１によって、ユーザ端末装置３０から第１文の入力を受け付ける（Ｓ１０）。本明細書では、第１文として「優れたアイディアは孤独な深い思考からしか生まれない」という文を受け付けた場合を例として説明を行う。当然ながら、第１文は上記以外の文であってもよい。第１文は、ユーザが考察の対象とする命題であり、ユーザがユーザ端末装置３０の入力部（例えばキーボードやマウス）を用いて入力又は引用するものである。
【００４５】
分割部１４に含まれる重要語抽出部１４ａは、第１文から重要語を抽出する（Ｓ１１）。重要語抽出部１４ａは、任意のアルゴリズムを用いて第１文から重要語を抽出してよい。例えば、重要語抽出部１４ａは、第１文の全文を検索キーとしてＷｅｂ検索を行い、検索結果に含まれる単語のうち、検索結果に含まれる頻度が高く、かつ、第１文に含まれる単語を重要語として抽出してよい。具体的には、重要語抽出部１４ａは、「優れたアイディアは孤独な深い思考からしか生まれない」という第１文に対して、重要語として、「優れた」、「孤独な」、「思考」及び「生まれ」を抽出する場合がある。
【００４６】
分割部１４は、第１文を複数の文節に分割する（Ｓ１２）。分割部１４は、第１文に含まれる１又は複数の重要語の第１文における位置に基づいて、第１文を複数の文節に分割する。具体的には、分割部１４は、「優れた」、「孤独な」、「思考」及び「生まれ」という重要語の手前で第１文を分割し、「優れたアイディアは」、「孤独な深い」、「思考からしか」及び「生まれない」という４つの文節に分割する場合がある。もっとも、分割部１４は、他のアルゴリズムを用いて第１文を複数の文節に分割してもよく、例えば、各文節に含まれる単語数が同程度となるように第１文を分割してもよいし、各文節の文字数が同程度となるように第１文を分割してもよい。また、分割部１４は、入力された文の長さに応じて、入力された文を、例えば３つから５つの文節に分割してもよい。
【００４７】
分割部１４によって、第１文における重要語の位置に基づいて、第１文を複数の文節に分割することで、第１文の一部に基づく複数のコンテキストのうち特に重要と思われるコンテキストを抽出することができる。
【００４８】
検索部１５は、複数の文節のうち少なくともいずれかを検索キーとして、文章データベース２０の検索を行う。第１文を複数の文節に分割し、文節を検索キーとすることで、第１文の一部に基づく複数のコンテキストを用いた文章検索を行うことができる。そのため、第１文全体のコンテキストを用いて文章検索を行う場合と比較して、第１文について多様な観点から検索することができる。
【００４９】
検索部１５に含まれる第１データベース検索部１５ａは、第１データベース２１を重要語によって検索する（Ｓ１３）。第１データベース２１は、ユーザにとって有用な情報が多いが文章数（データ数）が少ない場合がある。第１データベース検索部１５ａによって、第１データベース２１を第１文中の重要語によって検索することで、第１文と特に関連があると思われる文章を第１データベース２１から検索することができる。
【００５０】
検索部１５に含まれる第２データベース検索部１５ｂは、第２データベース２２を複数の文節のうちいずれかによって検索する。より具体的には、第２データベース検索部１５ｂは、第２データベース２２を複数の文節のうちいずれかとの完全一致によって検索する（Ｓ１４）。第２データベース２２は、ユーザにとって必ずしも有用でない情報を含むが文章数（データ数）が多い場合がある。第２データベース検索部１５ｂによって、第２データベース２２を複数の文節（コンテキスト）のうちいずれかで検索することで、重要語（ワード）によって検索する場合よりも検索結果が絞られ、不要な検索結果が出力されることを抑制することができる。また、第２データベース２２を複数の文節のうちいずれかとの完全一致で検索することで、部分一致検索を行う場合よりも検索結果が絞られ、不要な検索結果が出力されることを抑制することができる。
【００５１】
表示制御部１６は、第１文、第１データベース検索部１５ａにより第１データベース２１から検索された１又は複数の文章の少なくとも一部である第１検索結果及び第２データベース検索部１５ｂにより第２データベース２２から検索された１又は複数の文章の少なくとも一部である第２検索結果を、第１文の表示面積と第１検索結果及び第２検索結果の表示面積との合計が予め定められた面積以下となるように、表示領域に表示させる（Ｓ１５）。第１文、第１検索結果及び第２検索結果は、ユーザ端末装置３０の表示部に表示される。以上により、文章検索装置１０による検索処理が終了する。
【００５２】
図４は、本発明の実施形態に係る文章検索装置１０による検索処理の結果の一例を示す図である。同図では、文章検索装置１０によって図３に示す検索処理を行った場合において、ユーザ端末装置３０の表示部に表示される画面を示している。本例では、第１文として「優れたアイディアは孤独な深い思考からしか生まれない」という文を受け付け、検索部１５によって文章データベース２０を検索した結果を示している。表示画面ＤＰは、文章検索装置１０の表示制御部１６によって出力されたデータに基づき、ユーザ端末装置３０の表示部に表示される画面の例を示している。
【００５３】
表示画面ＤＰは、第１文ＤＰ１、第１検索結果ＤＰ１０及び第２検索結果ＤＰ２０を含む。第１検索結果ＤＰ１０は、第１検索結果の第１例ＤＰ１１と第１検索結果の第２例ＤＰ１２を含み、第２検索結果ＤＰ２０は、第２検索結果の第１例ＤＰ２１と第２検索結果の第２例ＤＰ２２を含む。第１文ＤＰ１、第１検索結果ＤＰ１０及び第２検索結果ＤＰ２０は、所定の面積以下の表示領域に表示される。なお、表示制御部１６は、第１文ＤＰ１を第１検索結果ＤＰ１０又は第２検索結果ＤＰ２０と重畳するように表示させる場合、第１文ＤＰ１を常に手前に表示するように制御する。第１文ＤＰ１が検索結果に隠れて見えなくなることを防止し、ユーザの注意を常に第１文ＤＰ１に向けさせるためである。
【００５４】
第１検索結果の第１例ＤＰ１１は、「優れた企業家の持つ要素とは、」という文を含み、第１検索結果の第２例ＤＰ１２は、「自分の思考レベルの水準」という文を含む。第１検索結果ＤＰ１０は、第１データベース２１を第１文ＤＰ１に含まれる重要語によって検索した結果であり、ユーザのアイディアノートからの検索結果である。なお、同図では、検索された文の一部のみを示しているが、表示画面ＤＰには、第１検索結果ＤＰ１０の全文が表示されてもよい。
【００５５】
第２検索結果の第１例ＤＰ２１は、「マイナス思考」という文と背景画像の第１例ＤＰ２１ａを含み、第２検索結果の第２例ＤＰ２２は、「目標を明確化」という文と背景画像の第２例ＤＰ２２ａを含む。第２検索結果ＤＰ２０は、第２データベース２２を第１文ＤＰ１に含まれる複数の文節のうちいずれかとの完全一致によって検索した結果であり、Ｗｅｂ検索の結果を含む。第２検索結果ＤＰ２０は、インターネット上に公開されたＨＴＭＬ文書等であってよく、例えば第２検索結果の第１例ＤＰ２１に含まれる「マイナス思考」という文はＨＴＭＬ文書等からの抜粋であってよく、背景画像の第１例ＤＰ２１ａはＨＴＭＬ文書等に含まれる画像のうち「マイナス思考」という文に最も近く配置された画像であってよい。本例のように、表示制御部１６は、検索結果に画像が関連付けられている場合に、検索結果の背景に画像を表示させる。画像を検索結果の背景に表示することで、検索結果を視覚的に把握させることができ、文字情報のみを表示する場合に比較してより強くユーザの注意を引くことができる。特に、第２検索結果ＤＰ２０の背景に画像を表示することで、雑多な情報を含む場合がある第２検索結果ＤＰ２０の概要を、ユーザが迅速に把握することができるようになる。
【００５６】
図５は、本発明の実施形態に係る文章検索装置１０により実行される再検索処理の第１例のフローチャートである。文章検索装置１０は、第２受付部１２によって、検索部１５により検索された１又は複数の文章から、第２文の選択を受け付ける（Ｓ２０）。第２受付部１２は、ユーザ端末装置３０から第２文の選択を受け付ける。第２文は、第１データベース検索部１５ａにより第１データベース２１から検索された第１検索結果及び第２データベース検索部１５ｂにより第２データベース２２から検索された第２検索結果のうちいずれから選択された文であってもよい。本明細書では、第１検索結果から第２文を選択し、第２文として「優れた企業家の持つ要素」という文を受け付けた場合を例として説明を行う。当然ながら、第２文は上記以外の文であってもよい。
【００５７】
分割部１４に含まれる重要語抽出部１４ａは、第２文から重要語を抽出する（Ｓ２１）。重要語抽出部１４ａは、任意のアルゴリズムを用いて第２文から重要語を抽出してよい。例えば、重要語抽出部１４ａは、第２文の全文を検索キーとしてＷｅｂ検索を行い、検索結果に含まれる単語について、検索結果に含まれる頻度が高く、かつ、第２文に含まれる単語を重要語として抽出してよい。具体的には、重要語抽出部１４ａは、「優れた企業家の持つ要素」という第２文に対して、重要語として、「優れた」、「企業家」及び「要素」を抽出する場合がある。
【００５８】
分割部１４は、第２文を複数の文節に分割する（Ｓ２２）。分割部１４は、第２文に含まれる１又は複数の重要語の第２文における位置に基づいて、第２文を複数の文節に分割する。具体的には、分割部１４は、「優れた」、「企業家」及び「要素」という重要語の手前で第２文を分割し、「優れた」、「企業家の持つ」及び「要素」という３つの文節に分割する場合がある。もっとも、分割部１４は、他のアルゴリズムを用いて第２文を複数の文節に分割してもよく、例えば、各文節に含まれる単語数が同程度となるように第２文を分割してもよいし、各文節の文字数が同程度となるように第２文を分割してもよい。
【００５９】
検索部１５に含まれる第１データベース検索部１５ａは、第１データベース２１を第１文に含まれる重要語によって検索する（Ｓ２３）。なお、検索処理において第１データベース２１を第１文に含まれる重要語で検索した結果のキャッシュを保持している場合、キャッシュを参照することとして検索を省略してもよい。また、第１データベース検索部１５ａは、第１データベース２１を第２文に含まれる重要語によって検索する（Ｓ２４）。第１データベース検索部１５ａは、第１データベース２１の検索結果について、第２文に含まれる重要語を含めばスコアを１加算する。また、第１データベース検索部１５ａは、第１データベース２１の検索結果について、第１文に含まれる重要語及び第２文に含まれる重要語の両方を含めばスコアを２加算する。このようにして、第１データベース検索部１５ａは、検索結果にスコアを付与する（Ｓ２５）。もっとも、第１データベース検索部１５ａは、他のアルゴリズムによって検索結果にスコアを付与してもよい。第１データベース検索部１５ａは、スコア順に検索結果を並べて、第１検索結果として出力する。
【００６０】
検索部１５に含まれる第２データベース検索部１５ｂは、第２データベース２２を第１文に含まれる複数の文節のうち少なくともいずれかを検索キーとして検索する。より具体的には、第２データベース検索部１５ｂは、第２データベース２２を第１文に含まれる複数の文節のうちいずれかとの完全一致によって検索する（Ｓ２６）。なお、検索処理において第２データベース２２を第１文に含まれる複数の文節のうちいずれかとの完全一致で検索した結果のキャッシュを保持している場合、キャッシュを参照することとして検索を省略してもよい。また、第２データベース検索部１５ｂは、第２データベース２２を第２文に含まれる複数の文節のうち少なくともいずれかを検索キーとして検索する。より具体的には、第２データベース検索部１５ｂは、第２データベース２２を第２文に含まれる複数の文節のうちいずれかとの完全一致によって検索する（Ｓ２７）。第２データベース検索部１５ｂは、第１文に含まれる複数の文節に基づく検索結果と、第２文に含まれる複数の文節に基づく検索結果とを混合して第２検索結果とする。第２データベース検索部１５ｂは、第２データベース２２の検索結果について、第１文に含まれる複数の文節のうちいずれかを含めばスコアを１加算し、第１文に含まれる複数の文節のうちいずれか及び第２文に含まれる複数の文節のうちいずれかの両方を含めばスコアを２加算して、スコア順に検索結果を並べて第２検索結果としてもよい。検索部１５は、第２文に含まれる複数の文節に基づく検索と、第１文に含まれる複数の文節に基づく検索とを組み合わせて文章データベース２０の再検索を行うことで、第１文に含まれる複数の文節に基づく検索と異なる観点から第１文に関する検索を行うことができる。
【００６１】
表示制御部１６は、第１文、検索部１５により検索された１又は複数の文章の少なくとも一部である検索結果及び第２文を、第１文及び第２文の表示面積と検索結果の表示面積との合計が予め定められた面積以下となるように、表示領域に表示させる（Ｓ２８）。第１文及び第２文の表示面積と検索結果の表示面積との合計が予め定められた面積以下となるように、表示領域に表示させることで、検索キー（第１文及び第２文）の表示と検索結果の表示についてトレードオフの関係が生じる。そのため、ユーザに対して、いずれの検索キー、検索結果を表示領域に表示させるべきか考えさせることになり、検索キーの表示と検索結果の表示について取捨選択を促して、入力した文について考えを進めるよう促すことができる。
【００６２】
より具体的には、表示制御部１６は、第１文、第１データベース検索部１５ａにより第１データベース２１から検索された１又は複数の文章の少なくとも一部である第１検索結果及び第２データベース検索部１５ｂにより第２データベース２２から検索された１又は複数の文章の少なくとも一部である第２検索結果及び第２文を、第１文及び第２文の表示面積と第１検索結果及び第２検索結果の表示面積との合計が予め定められた面積以下となるように、表示領域に表示させる（Ｓ２８）。第１文、第１検索結果、第２検索結果及び第２文は、ユーザ端末装置３０の表示部に表示される。本実施形態に係る文章検索装置１０によれば、ユーザにとって有用な情報が多いが文章数（データ数）が少ない場合がある第１データベースを検索した第１検索結果及びユーザにとって必ずしも有用でない情報を含むが文章数（データ数）が多い場合がある第２データベースを検索した第２検索結果の表示面積と、検索キー（第１文及び第２文）の表示面積との合計が予め定められた面積以下となるように、表示領域に表示させることで、検索キーの表示と検索結果の表示についてトレードオフの関係が生じる。そのため、ユーザに対して、検索キーの表示と各データベースに関する検索結果の表示についてそれぞれ取捨選択を促して、入力した文について考えを進めるよう促すことができる。以上により、文章検索装置１０による再検索処理の第１例が終了する。
【００６３】
図６は、本発明の実施形態に係る文章検索装置１０による再検索処理の結果の第１例を示す図である。同図では、文章検索装置１０によって図５に示す再検索処理の第１例を行った場合において、ユーザ端末装置３０の表示部に表示される画面を示している。本例では、第１文として「優れたアイディアは孤独な深い思考からしか生まれない」という文を受け付けて文章データベース２０の検索処理を行った後、第１検索結果ＤＰ１０から「優れた企業家の持つ要素とは」という第２文の選択を受け付け、第１文及び第２文に基づき文章データベース２０の再検索処理を行った結果を示している。
【００６４】
表示画面ＤＰは、文章検索装置１０の表示制御部１６によって出力されたデータに基づき、ユーザ端末装置３０の表示部に表示される画面の例を示している。表示画面ＤＰは、検索部１５により検索された検索結果（第１文に基づく検索結果）に替えて、検索部１５により再検索された検索結果（第１文及び第２文に基づく検索結果）を表示している。文章検索装置１０によれば、第１文に基づく検索と、第２文に基づく検索とを組み合わせて文章データベース２０の再検索を行った再検索結果を当初の検索結果に替えて表示することで、検索キーの表示と再検索結果の表示について取捨選択を促して、第１文について異なる観点から考えを進めるよう促すことができる。
【００６５】
表示画面ＤＰは、第１文ＤＰ１、第２文ＤＰ２、第１検索結果ＤＰ１０及び第２検索結果ＤＰ２０を含む。第１検索結果ＤＰ１０は、第１検索結果の第３例ＤＰ１３と第１検索結果の第２例ＤＰ１２を含み、第２検索結果ＤＰ２０は、第２検索結果の第３例ＤＰ２３と第２検索結果の第４例ＤＰ２４を含む。第１文ＤＰ１、第２文ＤＰ２、第１検索結果ＤＰ１０及び第２検索結果ＤＰ２０は、第１文ＤＰ１及び第２文ＤＰ２の表示面積と第１検索結果ＤＰ１０及び第２検索結果ＤＰ２０の表示面積との合計が予め定められた面積以下となるように、表示領域に表示される。このため、検索キーを構成する第１文ＤＰ１及び第２文ＤＰ２の表示面積を大きくするには、第１検索結果ＤＰ１０及び第２検索結果ＤＰ２０の表示面積を小さくしなければならず、その逆もいえる。このように、検索キーの表示と検索結果の表示についてトレードオフの関係を生じさせ、ユーザに対して、検索キーの表示と各データベースに関する検索結果の表示についてそれぞれ取捨選択を促して、入力した文について考えを進めるよう促す。
【００６６】
より具体的に、図４に示す検索処理の結果と図６に示す再検索処理の結果の相違について説明する。図４に示すように、第１文に基づく文章データベース２０の検索処理の結果、表示制御部１６は、第１文ＤＰ１と、４項目の第１検索結果ＤＰ１０と、１０項目の第２検索結果ＤＰ２０を表示させる。一方、図６に示すように、第１文及び第２文に基づく文章データベース２０の再検索処理の結果、表示制御部１６は、第１文ＤＰ１と、第２文ＤＰ２と、３項目の第１検索結果ＤＰ１０と、１０項目の第２検索結果ＤＰ２０を表示させる。両画面を比較すると、第２文ＤＰ２の表示が追加されたことに伴い、検索結果を表示するための面積が狭まり、第１検索結果ＤＰ１０の表示項目数が１つ減ったことが読み取れる。このように、第１文、第２文、第１検索結果及び第２検索結果を、第１文及び第２文の表示面積と第１検索結果及び第２検索結果の表示面積との合計が予め定められた面積以下となるように、表示領域に表示させることで、検索キーの表示と検索結果の表示についてトレードオフの関係が生じる。そのため、検索キーの表示と検索結果の表示について取捨選択を促して、入力した文について考えを進めるよう促すことができる。
【００６７】
第１検索結果の第３例ＤＰ１３は、「劣る方が優れている」という文を含む。第１検索結果ＤＰ１０は、第１データベース２１を、第１文ＤＰ１に基づく検索キーによる検索と第２文ＤＰ２に基づく検索キーによる検索とを組み合わせて再検索した結果であり、ユーザのアイディアノートからの検索結果である。なお、同図では、検索された文の一部のみを示しているが、表示画面ＤＰには、第１検索結果ＤＰ１０の全文が表示されてもよい。
【００６８】
第２検索結果の第３例ＤＰ２３は、「反省」という文と背景画像の第３例ＤＰ２３ａを含み、第２検索結果の第４例ＤＰ２４は、「プラス思考」という文と背景画像の第４例ＤＰ２４ａを含む。第２検索結果ＤＰ２０は、第２データベース２２を、第１文ＤＰ１に基づく検索キーによる検索と第２文ＤＰ２に基づく検索キーによる検索とを組み合わせて再検索した結果であり、インターネットからの検索結果である。第２検索結果ＤＰ２０は、インターネット上に公開されたＨＴＭＬ文書等であってよく、例えば第２検索結果の第３例ＤＰ２３に含まれる「反省」という文はＨＴＭＬ文書等からの抜粋であってよく、背景画像の第３例ＤＰ２３ａはＨＴＭＬ文書等に含まれる画像のうち「反省」という文に最も近く配置された画像であってよい。
【００６９】
表示制御部１６は、第２検索結果ＤＰ２０を第１検索結果ＤＰ１０より多く表示させる。本例の場合、表示制御部１６は、第１検索結果ＤＰ１０を３項目表示させ、第２検索結果ＤＰ２０を１０項目表示させる。第２データベース２２に格納されている文章数（データ数）は、第１データベース２１に格納されている文章数（データ数）よりも多い場合が通常であるため、表示制御部１６によって、第２検索結果ＤＰ２０を第１検索結果ＤＰ１０より多く表示させることで、より多くの第２検索結果ＤＰ２０を確認することができるようになり、ユーザが第２データベース２２から有用な情報を抽出する確率を上げることができる。
【００７０】
図７は、本発明の実施形態に係る文章検索装置１０により実行される削除処理のフローチャートである。削除部１８は、検索結果のうちから削除選択を受け付ける（Ｓ３０）。削除選択は、第１検索結果及び第２検索結果のいずれに関するものであってもよい。本例では、図６に示す第２検索結果の第４例ＤＰ２４が削除選択された場合について説明する。図６に示すように、第２検索結果の第４例ＤＰ２４は、削除選択されたことを示す削除選択表示ＤＰ２４ｂを含む。同図では、削除選択表示ＤＰ２４ｂを第２検索結果の第４例ＤＰ２４を破線表示することによって表しているが、削除選択表示ＤＰ２４ｂはこれ以外の表示であってもよい。なお、削除選択は、ユーザ端末装置３０によって受け付けることのできる種々の操作によって行うことができ、例えば、検索結果の右へのスワイプによって受け付けてもよい。
【００７１】
削除部１８は、削除選択された検索結果に類似する検索結果を抽出する（Ｓ３１）。削除選択された検索結果と他の検索結果が類似するか否かを判断するアルゴリズムは、任意のものを用いてよい。例えば、削除部１８は、削除選択された検索結果と他の検索結果のレーベンシュタイン距離が近いほど、類似度が高いと判断してもよい。本例では、削除部１８は、削除選択された第２検索結果の第４例ＤＰ２４に類似する検索結果として、第２検索結果の第３例ＤＰ２３を抽出した場合について説明する。削除部１８は、削除選択された検索結果及び削除選択された検索結果に類似する検索結果を削除する（Ｓ３２）。削除部１８は、任意のアルゴリズムによって削除選択された検索結果と他の検索結果の類似度を算出し、類似度が閾値を超える検索結果について、削除選択された検索結果と共に削除することとしてよい。
【００７２】
表示制御部１６は、削除選択された検索結果及び削除選択された検索結果に類似する検索結果を削除した結果生まれた余剰スペースに他の検索結果を表示する（Ｓ３３）。削除選択された検索結果及び削除選択された検索結果に類似する検索結果を削除することで、有用でない検索結果を一度の削除選択でまとめて削除することができ、効率的な削除ができる。特に、ユーザにとって必ずしも有用でない情報を含む場合がある第２検索結果について、有用でない検索結果を一度の削除選択でまとめて削除することができ、効率的な削除ができる。また、余剰スペースに他の検索結果を表示することで、ユーザによる検索結果の取捨選択を促すことができる。
【００７３】
図８は、本発明の実施形態に係る文章検索装置１０による削除処理の結果の一例を示す図である。同図では、図６に示す再検索処理の結果を表示した場合において、第２検索結果の第４例ＤＰ２４が削除選択され、第２検索結果の第４例ＤＰ２４に類似する検索結果として第２検索結果の第３例ＤＰ２３が抽出され、第２検索結果の第４例ＤＰ２４及び第２検索結果の第３例ＤＰ２３が削除された後にユーザ端末装置３０の表示部に表示される画面を示している。本例では、第２検索結果の第４例ＤＰ２４及び第２検索結果の第３例ＤＰ２３が削除されたことで生まれた余剰スペースに、第２検索結果の第５例ＤＰ２５及び第２検索結果の第２例ＤＰ２２が表示される場合を示している。なお、本例において、第１文ＤＰ１、第２文ＤＰ２及び第１検索結果ＤＰ１０の表示については、削除処理の前後で変更が無い。
【００７４】
表示画面ＤＰは、第１文ＤＰ１、第２文ＤＰ２、第１検索結果ＤＰ１０及び第２検索結果ＤＰ２０を含む。第２検索結果ＤＰ２０は、第２検索結果の第５例ＤＰ２５を含む。第１文ＤＰ１、第２文ＤＰ２、第１検索結果ＤＰ１０及び第２検索結果ＤＰ２０は、所定の面積以下の表示領域に表示される。
【００７５】
第２検索結果の第５例ＤＰ２５は、「自分より優れた」という文と背景画像の第５例ＤＰ２５ａを含む。第２検索結果ＤＰ２０は、第２データベース２２を、第１文ＤＰ１に基づく検索キーによる検索と第２文ＤＰ２に基づく検索キーによる検索とを組み合わせて再検索した結果であり、インターネットからの検索結果である。第２検索結果ＤＰ２０は、インターネット上に公開されたＨＴＭＬ文書等であってよく、例えば第２検索結果の第５例ＤＰ２５に含まれる「自分より優れた」という文はＨＴＭＬ文書等からの抜粋であってよく、背景画像の第５例ＤＰ２５ａはＨＴＭＬ文書等に含まれる画像のうち「自分より優れた」という文に最も近く配置された画像であってよい。
【００７６】
このように、ユーザは、検索結果を削除選択することで、有用でないと判断した検索結果及びそれに類似する検索結果をまとめて削除することができ、限られた検索結果の表示領域を有効に活用することができる。文章検索装置１０は、検索キーと検索結果の表示面積あえて制限することで、ユーザに検索結果の取捨選択を促し、入力した文について積極的に考えるように促すことができる。
【００７７】
図９は、本発明の実施形態に係る文章検索装置１０により実行される再検索処理の第２例のフローチャートである。再検索処理の第２例は、文章検索装置１０によって、第１文及び第２文に基づく再検索処理が行われた後に、さらに第３文を受け付けて行われる処理である。文章検索装置１０は、第３受付部１３によって、検索部１５により再検索された１又は複数の文章から、第３文の選択を受け付ける（Ｓ４０）。第３受付部１３は、ユーザ端末装置３０から第３文の選択を受け付ける。第３文は、第１データベース検索部１５ａにより第１データベース２１から再検索された第１検索結果及び第２データベース検索部１５ｂにより第２データベース２２から再検索された第２検索結果のうちいずれから選択された文であってもよい。本明細書では、第１検索結果から第３文を選択し、第３文として「自分の思考レベルの水準」という文を受け付けた場合を例として説明を行う。当然ながら、第３文は上記以外の文であってもよい。
【００７８】
分割部１４に含まれる重要語抽出部１４ａは、第３文から重要語を抽出する（Ｓ４１）。重要語抽出部１４ａは、任意のアルゴリズムを用いて第３文から重要語を抽出してよい。例えば、重要語抽出部１４ａは、第３文の全文を検索キーとしてＷｅｂ検索を行い、検索結果に含まれる単語について、検索結果に含まれる頻度が高く、かつ、第３文に含まれる単語を重要語として抽出してよい。具体的には、重要語抽出部１４ａは、「自分の思考レベルの水準」という第３文に対して、重要語として、「自分の」、「思考」及び「水準」を抽出する場合がある。
【００７９】
分割部１４は、第３文を複数の文節に分割する（Ｓ４２）。分割部１４は、第３文に含まれる１又は複数の重要語の第３文における位置に基づいて、第３文を複数の文節に分割する。具体的には、分割部１４は、「自分の」、「思考」及び「水準」という重要語の手前で第３文を分割し、「自分の」、「思考レベルの」及び「水準」という３つの文節に分割する場合がある。もっとも、分割部１４は、他のアルゴリズムを用いて第３文を複数の文節に分割してもよく、例えば、各文節に含まれる単語数が同程度となるように第３文を分割してもよいし、各文節の文字数が同程度となるように第２文を分割してもよい。
【００８０】
検索部１５に含まれる第１データベース検索部１５ａは、第１データベース２１を第１文に含まれる重要語によって検索する（Ｓ４３）。なお、検索処理において第１データベース２１を第１文に含まれる重要語で検索した結果のキャッシュを保持している場合、キャッシュを参照することとして検索を省略してもよい。また、第１データベース検索部１５ａは、第１データベース２１を第３文に含まれる重要語によって検索する（Ｓ４４）。第１データベース検索部１５ａは、第１データベース２１の検索結果について、第３文に含まれる重要語を含めばスコアを１加算する。また、第１データベース検索部１５ａは、第１データベース２１の検索結果について、第１文に含まれる重要語及び第３文に含まれる重要語の両方を含めばスコアを２加算する。このようにして、第１データベース検索部１５ａは、検索結果にスコアを付与する（Ｓ４５）。もっとも、第１データベース検索部１５ａは、他のアルゴリズムによって検索結果にスコアを付与してもよい。第１データベース検索部１５ａは、スコア順に検索結果を並べて、第１検索結果とする。
【００８１】
検索部１５に含まれる第２データベース検索部１５ｂは、第２データベース２２を第１文に含まれる複数の文節のうち少なくともいずれかを検索キーとて検索する。より具体的には、第２データベース検索部１５ｂは、第２データベース２２を第１文に含まれる複数の文節のうちいずれかとの完全一致によって検索する（Ｓ４６）。なお、検索処理において第２データベース２２を第１文に含まれる複数の文節のうちいずれかとの完全一致で検索した結果のキャッシュを保持している場合、キャッシュを参照することとして検索を省略してもよい。また、第２データベース検索部１５ｂは、第２データベース２２を第３文に含まれる複数の文節のうち少なくともいずれかを検索キーとして検索する。より具体的には、第２データベース検索部１５ｂは、第２データベース２２を第３文に含まれる複数の文節のうちいずれかとの完全一致によって検索する（Ｓ４７）。第２データベース検索部１５ｂは、第１文に含まれる複数の文節に基づく検索結果と、第３文に含まれる複数の文節に基づく検索結果とを混合して第２検索結果とする。第２データベース検索部１５ｂは、第２データベース２２の検索結果について、第１文に含まれる複数の文節のうちいずれかを含めばスコアを１加算し、第１文に含まれる複数の文節のうちいずれか及び第３文に含まれる複数の文節のうちいずれかの両方を含めばスコアを２加算して、スコア順に検索結果を並べて第２検索結果としてもよい。検索部１５は、第３文に含まれる複数の文節に基づく検索と、第１文に含まれる複数の文節に基づく検索とを組み合わせて文章データベース２０の再検索を行うことで、第１文を異なる観点から検索することができる。
【００８２】
表示制御部１６は、第１文、検索部１５により検索された１又は複数の文章の少なくとも一部である検索結果、第２文及び第３文を、第１文、第２文及び第３文の表示面積と検索結果の表示面積との合計が予め定められた面積以下となるように、表示領域に表示させる（Ｓ４８）。第１文、検索結果、第２文及び第３文を、第１文、第２文及び第３文の表示面積と検索結果の表示面積との合計が予め定められた面積以下となるように、表示領域に表示させることで、検索キー（第１文、第２文及び第３文）の表示と検索結果の表示についてトレードオフの関係が生じる。そのため、ユーザに対して、いずれの検索キー、検索結果を表示領域に表示させるべきか考えさせることになり、検索キーの表示と検索結果の表示について取捨選択を促して、入力した文について考えを進めるよう促すことができる。
【００８３】
より具体的には、表示制御部１６は、第１文、第１データベース検索部１５ａにより第１データベース２１から検索された１又は複数の文章の少なくとも一部である第１検索結果及び第２データベース検索部１５ｂにより第２データベース２２から検索された１又は複数の文章の少なくとも一部である第２検索結果、第２文及び第３文を、第１文、第２文及び第３文の表示面積と第１検索結果及び第２検索結果の表示面積との合計が予め定められた面積以下となるように、単一表示させる（Ｓ４８）。第１文、第１検索結果、第２検索結果、第２文及び第３文は、ユーザ端末装置３０の表示部に表示される。以上により、文章検索装置１０による再検索処理の第１例が終了する。
【００８４】
検索部１５は、第１文に基づく検索キーによる検索と、１又は複数の選択文に基づく検索キーによる１又は複数の検索とを組み合わせて文章データベース２０の再検索を行う。具体的には、検索部１５は、第１文に基づく検索キーによる検索と、第２文に基づく検索キーによる検索又は第２文に基づく検索キーによる検索とを組み合わせて文章データベース２０の再検索を行う。このように、第１文に基づく検索キーによる検索と、１又は複数の選択文に基づく検索キーによる１又は複数の検索とを組み合わせて文章データベース２０の再検索を行うことで、第１文に基づく検索キーによる検索とは異なる観点から文章データベース２０を検索しつつ、第１文との関連性を保った検索を行うことができる。そのため、第１文を多様な観点から検索することができる。また、第１文、第２文及び第３文をそれぞれ複数の文節に分割することで、入力文の一部に基づく複数のコンテキストを用いた文章検索を組み合わせることができる。そのため、第１文を多様な観点から検索することができる。
【００８５】
検索部１５による文章データベース２０の再検索において、第１文に基づく検索キーは、第１文と同一ではなく、１又は複数の選択文（第２文及び第３文）に基づく検索キーは、１又は複数の選択文と同一ではない。具体的には、「優れたアイディアは孤独な深い思考からしか生まれない」という第１文に対して、検索キーは、「優れた」、「孤独な」、「思考」及び「生まれ」という４つの重要語又は「優れたアイディアは」、「孤独な深い」、「思考からしか」及び「生まれない」という４つの文節である。また、「優れた企業家の持つ要素」という第２文に対して、検索キーは、「優れた」、「企業家」及び「要素」という３つの重要語又は「優れた」、「企業家の持つ」及び「要素」という３つの文節である。また、「自分の思考レベルの水準」という第３文に対して、検索キーは、「自分の」、「思考」及び「水準」という３つの重要語又は「自分の」、「思考レベルの」及び「水準」という３つの文節である。検索部１５による検索又は再検索のための検索キーとして、第１文及び１又は複数の選択文をそのまま用いず、加工して検索キーとすることで、文全体のコンテキストにとらわれない多様な観点からの検索ができる。
【００８６】
図１０は、本発明の実施形態に係る文章検索装置１０による再検索処理の結果の第２例を示す図である。同図では、文章検索装置１０によって図９に示す再検索処理の第２例を行った場合において、ユーザ端末装置３０の表示部に表示される画面を示している。本例では、第３文として「自分の思考レベルの水準」という文を受け付け、検索部１５によって文章データベース２０を再検索した結果を示している。表示画面ＤＰは、文章検索装置１０の表示制御部１６によって出力されたデータに基づき、ユーザ端末装置３０の表示部に表示される画面の例を示している。
【００８７】
表示画面ＤＰは、第１文ＤＰ１、第２文ＤＰ２、第３文ＤＰ３、第１検索結果ＤＰ１０及び第２検索結果ＤＰ２０を含む。第１検索結果ＤＰ１０は、第１検索結果の第４例ＤＰ１４と第１検索結果の第５例ＤＰ１５を含み、第２検索結果ＤＰ２０は、第２検索結果の第６例ＤＰ２６と第２検索結果の第７例ＤＰ２７を含む。第１文ＤＰ１、第２文ＤＰ２、第３文ＤＰ３、第１検索結果ＤＰ１０及び第２検索結果ＤＰ２０は、第１文ＤＰ１、第２文ＤＰ２及び第３文ＤＰ３の表示面積と第１検索結果ＤＰ１０及び第２検索結果ＤＰ２０の表示面積との合計が予め定められた面積以下となるように、表示領域に表示される。このため、検索キーを構成する第１文ＤＰ１、第２文ＤＰ２及び第３文ＤＰ３の表示面積を大きくするには、第１検索結果ＤＰ１０及び第２検索結果ＤＰ２０の表示面積を小さくしなければならず、その逆もいえる。このように、検索キーの表示と検索結果の表示についてトレードオフの関係を生じさせ、ユーザに対して、検索キーの表示と各データベースに関する検索結果の表示についてそれぞれ取捨選択を促して、入力した文について考えを進めるよう促す。
【００８８】
より具体的に、図６に示す再検索処理の第１例の結果と図１０に示す再検索処理の第２例の結果の相違について説明する。図６に示すように、第１文ＤＰ１及び第２文ＤＰ２に基づく文章データベース２０の再検索処理の結果、表示制御部１６は、第１文ＤＰ１と、第２文ＤＰ２と、３項目の第１検索結果ＤＰ１０と、１０項目の第２検索結果ＤＰ２０を表示させる。一方、図１０に示すように、第１文及び第３文に基づく文章データベース２０の再検索処理の結果、表示制御部１６は、第１文ＤＰ１と、第２文ＤＰ２と、第３文ＤＰ３と、３項目の第１検索結果ＤＰ１０と、８項目の第２検索結果ＤＰ２０を表示させる。両画面を比較すると、第３文ＤＰ３の表示が追加されたことに伴い、検索結果を表示するための面積が狭まり、第２検索結果ＤＰ２０の表示項目数が２つ減ったことが読み取れる。このように、第１文、検索結果、第２文及び第３文を、第１文、第２文及び第３文の表示面積と第１検索結果及び第２検索結果の表示面積との合計が予め定められた面積以下となるように、表示領域に表示させることで、検索キーの表示と検索結果の表示についてトレードオフの関係が生じる。そのため、検索キーの表示と検索結果の表示について取捨選択を促して、入力した文について考えを進めるよう促すことができる。
【００８９】
第１検索結果の第４例ＤＰ１４は、「自分に挑戦状を叩きつけてきた」という文を含み、第１検索結果の第５例ＤＰ１５は、「アイザック・ニュートン」という文を含む。第１検索結果ＤＰ１０は、第１データベース２１を第１文ＤＰ１及び第３文ＤＰ３に基づき検索した結果であり、ユーザのアイディアノートからの検索結果である。なお、同図では、検索された文の一部のみを示しているが、表示画面ＤＰには、第１検索結果ＤＰ１０の全文が表示されてもよい。
【００９０】
第２検索結果の第６例ＤＰ２６は、「アイディア」という文と背景画像の第６例ＤＰ２６ａを含み、第２検索結果の第７例ＤＰ２７は、「疑ってみる」という文と背景画像の第７例ＤＰ２７ａを含む。第２検索結果ＤＰ２０は、第２データベース２２を第１文ＤＰ１及び第３文ＤＰ３に基づき検索した結果であり、インターネットからの検索結果である。第２検索結果ＤＰ２０は、インターネット上に公開されたＨＴＭＬ文書等であってよく、例えば第２検索結果の第６例ＤＰ２６に含まれる「アイディア」という文はＨＴＭＬ文書等からの抜粋であってよく、背景画像の第６例ＤＰ２６ａはＨＴＭＬ文書等に含まれる画像のうち「アイディア」という文に最も近く配置された画像であってよい。
【００９１】
図１１は、本発明の実施形態に係る文章検索装置１０により実行される固定検索処理のフローチャートである。固定検索処理は、表示制御部１６によって文章データベース２０の検索結果が表示された後、検索部１５によって文章データベース２０の再検索が行われる際に実行される処理である。本例では、図６に示す再検索処理の結果の第１例が表示された後、ユーザによって第２検索結果の第３例ＤＰ２３が固定選択された場合について説明する。固定部１９は、検索結果のうちから固定選択を受け付ける（Ｓ５０）。固定選択は、第１検索結果及び第２検索結果のいずれに関するものであってもよい。図１２に示すように、第２検索結果の第３例ＤＰ２３は、固定選択されたことを示す固定選択表示ＤＰ２３ｂを含む。同図では、固定選択表示ＤＰ２３ｂを第２検索結果の第３例ＤＰ２３を二重線表示することによって表しているが、固定選択表示ＤＰ２３ｂはこれ以外の表示であってもよい。なお、固定選択は、ユーザ端末装置３０によって受け付けることのできる種々の操作によって行うことができ、例えば、検索結果の左へのスワイプによって受け付けてもよい。
【００９２】
続けて、検索部１５は、図９に示す再検索処理を実行する（Ｓ５１）。すなわち、第１文及び第３文に基づいて文章データベース２０の再検索処理を行う。表示制御部１６は、検索部１５により検索された検索結果に替えて、検索部１５により再検索された検索結果を表示させる場合に、固定選択された検索結果の表示を維持する。すなわち、表示制御部１６は、第１文及び第３文に基づく再検索処理の結果を表示させる際、固定選択された検索結果以外の検索結果を更新する（Ｓ５２）。このように、検索結果を固定選択することで、第１文について異なる観点から考えを進める際に、固定選択した検索結果を閲覧することができるようになり、注目したい検索結果と再検索結果を併せて考察することが容易となる。
【００９３】
図１２は、本発明の実施形態に係る文章検索装置１０による固定検索処理の結果の一例を示す図である。同図では、文章検索装置１０によって図６に示す再検索処理の第１例を行った後、第２検索結果の第３例ＤＰ２３について固定選択を受け付け、第３文として「自分の思考レベルの水準」という文を受け付け、検索部１５によって文章データベース２０を再検索し、固定選択された第２検索結果の第３例ＤＰ２３の表示を維持し、それ以外の検索結果を更新した結果を示している。表示画面ＤＰは、文章検索装置１０の表示制御部１６によって出力されたデータに基づき、ユーザ端末装置３０の表示部に表示される画面の例を示している。
【００９４】
表示画面ＤＰは、第１文ＤＰ１、第２文ＤＰ２、第３文ＤＰ３、第１検索結果ＤＰ１０及び第２検索結果ＤＰ２０を含む。第１検索結果ＤＰ１０は、固定選択された第１検索結果の第３例ＤＰ１３を含む。第１文ＤＰ１、第２文ＤＰ２、第３文ＤＰ３、第１検索結果ＤＰ１０及び第２検索結果ＤＰ２０は、第１文ＤＰ１、第２文ＤＰ２及び第３文ＤＰ３の表示面積と第１検索結果ＤＰ１０及び第２検索結果ＤＰ２０の表示面積との合計が予め定められた面積以下となるように、表示領域に表示される。
【００９５】
図１０に示すように、第１文ＤＰ１及び第３文ＤＰ３に基づく文章データベース２０の再検索処理の結果、表示制御部１６は、第１文ＤＰ１と、第２文ＤＰ２と、第３文ＤＰ３と、３項目の第１検索結果ＤＰ１０と、８項目の第２検索結果ＤＰ２０を表示させる。ここで、第２検索結果ＤＰ２０には、第２検索結果の第６例ＤＰ２６及び第２検索結果の第７例ＤＰ２７が含まれる。一方、図１２に示すように、第２検索結果の第３例ＤＰ２３について固定選択を受け付け、第１文及び第３文に基づく文章データベース２０の再検索処理を行った結果、表示制御部１６は、第１文ＤＰ１と、第２文ＤＰ２と、第３文ＤＰ３と、３項目の第１検索結果ＤＰ１０と、８項目の第２検索結果ＤＰ２０を表示させる。ここで、第２検索結果ＤＰ２０には、第２検索結果の第３例ＤＰ２３及び第２検索結果の第６例ＤＰ２６が含まれる。両画面を比較すると、第２検索結果の第３例ＤＰ２３が固定選択されたことに伴い、第２検索結果の第３例ＤＰ２３の表示が維持され、その他の検索結果が更新されたことが読み取れる。このように、検索結果の固定選択を受け付けることで、第１文を異なる観点から検索しつつ、注目している検索結果については表示を維持することができ、注目している検索結果と再検索結果を併せて考察することができる。また、固定選択された検索結果の表示を維持すると、固定選択された検索結果を表示するために表示面積が占有されるため、新たな検索結果を表示するための表示面積が狭くなる。文章検索装置１０は、固定選択された検索結果の表示と新たな検索結果の表示との間でトレードオフの関係を生じさせることで、ユーザに情報の取捨選択を促し、入力した文について考えを進めるよう促すことができる。
【００９６】
図１３は、本発明の実施形態に係る文章検索装置１０により実行される順位付与検索処理のフローチャートである。順位付与検索処理は、表示制御部１６によって文章データベース２０の検索結果が表示された後、検索部１５によって文章データベース２０の再検索が行われる際に実行される処理である。本例では、図１０に示す再検索処理の結果の第２例が表示された後、ユーザによって第２文ＤＰ２と第３文ＤＰ３の順番が入れ替えられた場合について説明する。順位付与部１７は、第２文ＤＰ２と第３文ＤＰ３の順番の入れ替えを受け付ける（Ｓ６０）。ユーザは、ユーザ端末装置３０に表示された第２文ＤＰ２又は第３文ＤＰ３をドラッグ操作して、第２文ＤＰ２と第３文ＤＰ３の順番を入れ替えてよい。
【００９７】
順位付与部１７は、先頭の文である第２文ＤＰ２に最高の優先順位を付与する（Ｓ６１）。続けて、検索部１５は、第１文に基づく検索キーによる検索と、優先順位に従って選択された第２文に基づく検索キーによる検索又は第３文に基づく検索キーによる検索とを組み合わせて文章データベース２０の再検索を行う（Ｓ６２）。本例の場合、検索部１５は、図５に示す再検索処理を実行する。すなわち、第１文及び第２文に基づいて文章データベース２０の再検索処理を行う。表示制御部１６は、再検索結果に基づき検索結果を更新する（Ｓ６３）。このように、第１文に基づく検索と、優先順位に従って選択された１又は複数の選択文に基づく１又は複数の検索（本例では第２文に基づく検索）とを組み合わせて文章データベース２０の再検索を行うことで、１又は複数の選択文に関するユーザの注目度を反映した再検索を行うことができる。
【００９８】
図１４は、本発明の実施形態に係る文章検索装置１０による順位付与検索処理の結果の一例を示す図である。同図では、文章検索装置１０によって図１３に示す順位付与検索処理を行った場合において、ユーザ端末装置３０の表示部に表示される画面を示している。本例では、図１０に示す再検索処理の結果の第２例が表示された後、ユーザによって第２文ＤＰ２と第３文ＤＰ３の順番が入れ替えられ、第１文と、優先順位に従って選択された第２文に基づいて文章データベース２０を再検索した結果を示している。
【００９９】
表示画面ＤＰは、文章検索装置１０の表示制御部１６によって出力されたデータに基づき、ユーザ端末装置３０の表示部に表示される画面の例を示している。表示画面ＤＰは、検索部１５により検索された検索結果（第１文及び第３文に基づく検索結果）に替えて、検索部１５により再検索された検索結果（第１文及び第２文に基づく検索結果）を表示している。
【０１００】
表示画面ＤＰは、第１文ＤＰ１、第２文ＤＰ２、第３文ＤＰ３、第１検索結果ＤＰ１０及び第２検索結果ＤＰ２０を含む。第１文ＤＰ１、第２文ＤＰ２、第３文ＤＰ３、第１検索結果ＤＰ１０及び第２検索結果ＤＰ２０は、第１文ＤＰ１、第２文ＤＰ２及び第３文ＤＰ３の表示面積と第１検索結果ＤＰ１０及び第２検索結果ＤＰ２０の表示面積との合計が予め定められた面積以下となるように、表示領域に表示される。図１４に示す表示画面ＤＰは、図６に示す表示画面ＤＰと比較して、第３文ＤＰ３が表示されている点と、第２検索結果の第４例ＤＰ２４が削除選択されていない点で相違するが、その他の点について同一の内容を含む。
【０１０１】
図１４に示すように、第１文及び第２文に基づく文章データベース２０の順位付与検索処理の結果、表示制御部１６は、第１文ＤＰ１と、第２文ＤＰ２と、第３文ＤＰ３と、３項目の第１検索結果ＤＰ１０と、８項目の第２検索結果ＤＰ２０を表示させる。一方、図６に示すように、第１文及び第２文に基づく文章データベース２０の再検索処理の結果、表示制御部１６は、第１文ＤＰ１と、第２文ＤＰ２と、３項目の第１検索結果ＤＰ１０と、１０項目の第２検索結果ＤＰ２０を表示させる。両画面を比較すると、第３文ＤＰ３の表示が追加されたことに伴い、検索結果を表示するための面積が狭まり、第２検索結果ＤＰ２０の表示項目数が２つ減ったことが読み取れる。このように、第１文、検索結果、第２文及び第３文を所定の面積以下の表示領域に表示させることで、検索キーの表示と検索結果の表示についてトレードオフの関係が生じる。そのため、検索キーの表示と検索結果の表示について取捨選択を促して、入力した文について考えを進めるよう促すことができる。
【０１０２】
なお、順位付与部１７は、第２文ＤＰ２及び第３文ＤＰ３の表示順序に応じて、それぞれ０でない重みを与えて優先順位としてもよい。検索部１５は、第１文ＤＰ１、第２文ＤＰ２及び第３文ＤＰ３に基づく検索結果に対して、それぞれ順位付与部１７により与えられた重みに応じたスコアを付与し、スコアが高い順に検索結果の表示順序を決定してもよい。第１文ＤＰ１と、第２文ＤＰ２及び第３文ＤＰ３のうち先頭に表示された文とによって順位付与検索処理を行う例は、第２文ＤＰ２及び第３文ＤＰ３のうち先頭に表示された文に１の重みを与え、２番目に表示された文に０の重みを与えた例と捉えることもできる。
【０１０３】
第２文ＤＰ２及び第３文ＤＰ３の表示順序に応じて与えられる重みは、変更可能であってもよい。例えば、ブレインストーミング段階では、第２文ＤＰ２及び第３文ＤＰ３の表示順序に応じて、傾斜配分した０でない重みを与えて、第１文ＤＰ１と関連のある文章を比較的広い範囲から検索することができる。また、例えば、思索の終盤における絞込段階では、第１文ＤＰ１と、第２文ＤＰ２及び第３文ＤＰ３のうち先頭に表示された文とによって再検索処理を行い、第１文ＤＰ１と関連のある文章を比較的狭い範囲から検索することができる。
【０１０４】
なお、削除部１８は、削除選択された検索結果を削除するのと同様に、削除選択された選択文（第１文以外の検索キーの候補）を削除してもよい。文章検索装置１０によれば、検索キーの表示面積と検索結果の表示面積の合計が予め定められた面積以下となるように、検索キーと検索結果を表示領域に表示させることで、検索キーの表示と検索結果の表示についてトレードオフの関係が生じる。検索キーの一部である選択文の削除を受け付けることで、ユーザに対して、いずれの検索キーを表示領域に表示させるべきか考えさせることになり、検索キーの表示と検索結果の表示について取捨選択を促して、入力した文について考えを進めるよう促すことができる。
【０１０５】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【０１０６】
１０…文章検索装置、１１…第１受付部、１２…第２受付部、１４…分割部、１４ａ…重要語抽出部、１５…検索部、１５ａ…第１データベース検索部、１５ｂ…第２データベース検索部、１６…表示制御部、１７…順位付与部、１８…削除部、１９…固定部、２０…文章データベース、２１…第１データベース、２２…第２データベース、３０…ユーザ端末装置、ＤＰ…表示画面、ＤＰ１…第１文、ＤＰ２…第２文、ＤＰ３…第３文、ＤＰ１０…第１検索結果、ＤＰ１１…第１検索結果の第１例、ＤＰ１２…第１検索結果の第２例、ＤＰ１３…第１検索結果の第３例、ＤＰ１４…第１検索結果の第４例、ＤＰ１５…第１検索結果の第５例、ＤＰ２０…第２検索結果、ＤＰ２１…第２検索結果の第１例、ＤＰ２１ａ…背景画像の第１例、ＤＰ２２…第２検索結果の第２例、ＤＰ２２ａ…背景画像の第２例、ＤＰ２３…第２検索結果の第３例、ＤＰ２３ａ…背景画像の第３例、ＤＰ２３ｂ…固定選択表示、ＤＰ２４…第２検索結果の第４例、ＤＰ２４ａ…背景画像の第４例、ＤＰ２４ｂ…削除選択表示、ＤＰ２５…第２検索結果の第５例、ＤＰ２５ａ…背景画像の第５例、ＤＰ２６…第２検索結果の第６例、ＤＰ２６ａ…背景画像の第６例、ＤＰ２７…第２検索結果の第７例、ＤＰ２７ａ…背景画像の第７例、Ｎ…通信ネットワーク。
【図１】
2018097530.tif 000003
【図２】
2018097530.tif 000004
【図３】
2018097530.tif 000005
【図４】
2018097530.tif 000006
【図５】
2018097530.tif 000007
【図６】
2018097530.tif 000008
【図７】
2018097530.tif 000009
【図８】
2018097530.tif 000010
【図９】
2018097530.tif 000011
【図１０】
2018097530.tif 000012
【図１１】
2018097530.tif 000013
【図１２】
2018097530.tif 000014
【図１３】
2018097530.tif 000015
【図１４】
2018097530.tif 000016